(57)【要約】【課題】着用者の腹の膨らみに沿って配置でき、位置ずれや漏れを抑制することができる使い捨ておむつを提供する。【解決手段】使い捨ておむつの吸収性コアが配置された吸収性コア配置領域には、吸収性コアが厚み方向に曲がることができるように形成された低目付部４）が形成されている。低目付部は、前胴回り域において製品幅方向に延びている。使い捨ておむつは、低目付部に沿って配置され、かつ製品幅方向に伸縮する第１伸縮性部材１１と、第１伸縮性部材よりも製品長手方向外側に配置され、製品幅方向に伸縮する第２伸縮性部材１２と、を有する。【選択図】図１
2015073637.tif 000002
【特許請求の範囲】
【請求項１】
前胴回り域と、後胴回り域と、前記前胴回り域と前記後胴回り域との間に位置する股下域とを有し、
前記前胴回り域から前記後胴回り域に向かう製品長手方向と、前記製品長手方向と直交する製品幅方向と、を備え、
前記股下域を跨ぎ前記前胴回り域及び前記後胴回り域に延びる吸収性コアと、
着用者の腰が挿入される腰回り開口部と、
前記着用者の脚が挿入される脚回り開口部と、を備える使い捨ておむつであって、
前記吸収性コアが配置された吸収性コア配置領域には、前記吸収性コアが厚み方向に曲がることができるように形成された曲部が形成されており、
前記曲部は、前記前胴回り域において前記製品幅方向に延びており、
前記曲部に沿って配置され、前記製品幅方向に伸縮する第１伸縮性部材と、
前記第１伸縮性部材よりも前記製品長手方向外側に配置され、前記製品幅方向に伸縮する第２伸縮性部材と、を有する、使い捨ておむつ。
【請求項２】
前記第１伸縮性部材が配置された第１領域の伸縮率は、前記第２伸縮性部材が配置された第２領域の伸縮率よりも高い、請求項１に記載の使い捨ておむつ。
【請求項３】
前記曲部は、前記着用者の中腹部と下腹部の境界に対応して配置され、
前記第２領域は、前記着用者の中腹部に対応して配置される、請求項２に記載の使い捨ておむつ。
【請求項４】
前記曲部は、前記吸収性コアに形成された切欠き、前記吸収性コアを厚み方向において圧搾した圧搾部、前記吸収性コアにおいて周囲の前記吸収性コアと目付が異なる目付境界部、前記吸収性コアにおいて周囲の前記吸収性コアと厚みが異なる厚み境界部、前記吸収性コアにおいて周囲の前記吸収性コアと密度が異なる密度境界部、及び前記製品幅方向に伸縮する伸縮部のうち、少なくともいずれかを含んで形成されている、請求項１から請求項３のいずれかに記載の使い捨ておむつ。
【請求項５】
前記第１伸縮性部材は、前記曲部よりも前記製品長手方向外側において前記曲部に隣接して配置されている、請求項１から請求項４のいずれかに記載の使い捨ておむつ。
【請求項６】
前記曲部は、幅方向外側端部から幅方向中央に向かって前記股下域側に突出している、請求項１から請求項５のいずれかに記載の使い捨ておむつ。
【請求項７】
前記第１伸縮性部材は、幅方向外側端部から幅方向中央に向かって前記股下域側に突出している、請求項１から請求項６のいずれかに記載の使い捨ておむつ。
【請求項８】
前記使い捨ておむつの伸長状態において、前記使い捨ておむつの製品幅方向中央を通り、かつ前記製品長手方向に延びる仮想線における前記使い捨ておむつの前側端部と前記曲部との距離は、４０ｍｍ以上かつ８０ｍｍ以下である、請求項１から請求項７のいずれかに記載の使い捨ておむつ。
【発明の詳細な説明】
【技術分野】
【０００１】
本発明は、使い捨ておむつに関する。
【背景技術】
【０００２】
特許文献１には、ウエスト開口部と、ウエスト開口部よりも股下域側に位置し、かつ着用者の腸骨稜から前腸骨棘にかけての腸骨領域に当接する領域と、を有するパンツタイプの使い捨ておむつが開示されている。特許文献１の使い捨ておむつは、ウエスト開口部の着用時の圧力が０．３〜１．１ｋＰａとなされ、腸骨領域に当接する部位の着用時の圧力が、１．１〜２．５ｋＰａとなされている。
【０００３】
着用者、特に、腹まわりが張り出した幼児は、ウエスト開口部が当接する腹よりも、腸骨領域に当接する部位の方が張り出していない。例えば、腹まわりに当接するウエスト開口部の締め付け圧を高くすると、その締め付け圧が高い故にウエスト開口部が次第に絞り込まれて、腹まわりが細くなる部位にまで該ウエスト開口部がずれ下がってくることがある。特許文献１の使い捨ておむつは、着用者の腸骨領域に対応するおむつの部位の締め付け圧を高くすることにより、ウエスト開口部の締め付け圧を高くすることなく、使い捨ておむつの着用中のずれ落ちを防止する。
【先行技術文献】
【特許文献】
【０００４】
【特許文献１】特開２００６−６１６８０号公報
【発明の概要】
【発明が解決しようとする課題】
【０００５】
しかし、上述の使い捨ておむつには、以下の問題点があった。
【０００６】
乳幼児は、腹まわりが張り出しており、乳幼児の腸骨領域よりも上方（ウエスト側）の領域は、腸骨領域よりも膨らんでいる。特許文献１の使い捨ておむつは、腸骨領域に当接する領域よりもウエスト開口部側の領域は、腸骨領域と同様に、幅方向に伸縮しており、膨らんだ腹の形状に沿って配置されないことがある。腸骨領域に当接する領域よりもウエスト開口部側の領域が着用者の腹に沿って配置されないため、着用者の動きによって、使い捨ておむつが引き下がってしまったり、使い捨ておむつがずれてしまったりすることがある。
【０００７】
そこで、本発明は、上述の課題に鑑みてなされたものであり、着用者の腹の膨らみに沿って配置でき、位置ずれや漏れを抑制することができる使い捨ておむつを提供することを目的とする。
【課題を解決するための手段】
【０００８】
本開示に係る使い捨ておむつは、前胴回り域（前胴回り域Ｓ１）と、後胴回り域（後胴回り域Ｓ２）と、前記前胴回り域と前記後胴回り域との間に位置する股下域（股下域Ｓ３）とを有し、前記前胴回り域から前記後胴回り域に向かう製品長手方向（製品長手方向Ｌ）と、前記製品長手方向と直交する製品幅方向（製品幅方向Ｗ）と、を備え、前記股下域を跨ぎ前記前胴回り域及び前記後胴回り域に延びる吸収性コア（吸収性コア４）と、着用者の腰が挿入される腰回り開口部（腰回り開口部２１）と、前記着用者の脚が挿入される脚回り開口部（脚回り開口部２２）と、を備える使い捨ておむつであって、前記吸収性コアが配置された吸収性コア配置領域には、前記吸収性コアが厚み方向に曲がることができるように形成された曲部（低目付部４１）が形成されており、前記曲部は、前記前胴回り域において前記製品幅方向に延びており、前記曲部に沿って配置され、前記製品幅方向に伸縮する第１伸縮性部材（第１伸縮性部材１１）と、前記第１伸縮性部材よりも前記製品長手方向外側に配置され、前記製品幅方向に伸縮する第２伸縮性部材（第２伸縮性部材１２）と、を有することを要旨とする。
【発明の効果】
【０００９】
着用者の腹の膨らみに沿って配置でき、位置ずれや漏れを抑制することができる使い捨ておむつを提供することができる。
【図面の簡単な説明】
【００１０】
【図１】本実施形態に係る使い捨ておむつの斜視図である。
【図２】本実施形態に係る使い捨ておむつの展開平面図である。
【図３】図２に示したＡ-Ａ線に沿った使い捨ておむつの断面図である。
【図４】本実施形態に係る使い捨ておむつを装着した状態を示す図である。
【図５】本実施形態に係る使い捨ておむつを装着した状態を示す図である。
【図６】変形例に係る曲部を模式的に示す図である。
【発明を実施するための形態】
【００１１】
次に、本発明に係る使い捨ておむつ１の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
図１及び図２は、本実施形態に係る使い捨ておむつ１を示す図である。図１に示すように、使い捨ておむつ１は、パンツ型の使い捨ておむつである。
【００１４】
本実施形態に係る使い捨ておむつ１は、着用者の腹側に配置される前胴回り域Ｓ１と、着用者の背側に配置される後胴回り域Ｓ２と、着用者の股下に対応し、前胴回り域Ｓ１と後胴回り域Ｓ２との間に位置する股下域Ｓ３と、を有する。
【００１５】
使い捨ておむつは、着用者の身体前側と身体後側とに延びる製品長手方向Ｌと、製品長手方向に直交する製品幅方向Ｗと、製品厚み方向Ｔと、を有する。製品厚み方向Ｔは、着用者に向かう内方向（着用者の肌当接面側）Ｔ１と、内方向と反対側（着用者から離れる側）に向かう外方向（着用者の非肌当接面側）Ｔ２とを有する。
【００１６】
使い捨ておむつ１は、吸収性本体１Ａと、外装体１Ｂと、を備える。吸収性本体１Ａは、前胴回り域Ｓ１から後胴回り域Ｓ２に跨がって配置される。吸収性本体１Ａは、液透過性の表面シート２と、液不透過性の裏面シート３と、表面シート２と裏面シート３との間に配置される吸収体４と、裏面シート３よりも非肌接面側に位置する本体外装シート５を有する。
【００１７】
外装体１Ｂは、吸収性本体１Ａよりも外方向Ｔ２に配置されている。外装体は、前胴回り域Ｓ１と後胴回り域Ｓ２それぞれに配置されており、着用者の腰回りに配置される。外装体１Ｂは、外装シート１３を有する。
【００１８】
図２は、図１に示す使い捨ておむつを展開した状態を示す展開平面図である。図２に示す展開平面図は、使い捨ておむつ１を構成する部材（外装シート等）の皺が形成されない状態まで伸縮性部材等を伸長させた伸長状態の図である。図３は、図１に示したＡ-Ａ線に沿った使い捨ておむつ10の断面図である。
【００１９】
図２に示す状態から製品長手方向Ｌにおける中央を起点に、使い捨ておむつの肌当接面を内側にして前胴回り域Ｓ１の前側端部と後胴回り域Ｓ２の後側端部とが重なるように折り畳み、前胴回り域Ｓ１の製品幅方向Ｗにおける外側端部と後胴回り域Ｓ２の製品幅方向における外側端部とを接合することにより、図１に示すパンツ型の使い捨ておむつが形成される。図１に、前胴回り域Ｓ１の製品幅方向Ｗにおける外側端部と後胴回り域Ｓ２の製品幅方向における外側端部とを接合したサイド接合部３０を示す。
【００２０】
使い捨ておむつ１には、着用者の腰回りが挿入される腰回り開口部２１と、着用者の脚がそれぞれ挿入される一対の脚回り開口部２２と、が形成される。腰回り開口部２１は、外装体１Ｂの前側端部及び後側端部によって囲まれている。
【００２１】
吸収性本体１Ａを構成する表面シート２は、吸収体４よりも内方向側（着用者側）に位置する。表面シート２には、不織布や開孔プラスチックフィルムなどの液透過性のシートなどが使用される。
【００２２】
吸収性本体１Ａを構成する裏面シート３は、吸収体４よりも外方向側であって、外装体１Ｂよりも内方向側に配置される。裏面シート３には、液不透過性のシートなどが使用される。
【００２３】
吸収性本体１Ａを構成する吸収体４は、表面シート２及び裏面シート３の間に設けられ、着用者からの排泄物を吸収する。吸収体４は、粉砕パルプや高吸収性ポリマー粒子等の吸収性材料からなる吸収性コア４ａと、吸収性コア４ａを包むコアラップ４ｂと、を有する。
【００２４】
外装体１Ｂを構成する外装シート１３は、前胴回り域に位置する吸収性本体よりも外方向側に配置され、後胴回り域に位置する吸収性本体よりも外方向側に配置されている。なお、外装シートは、前胴回り域において吸収性本体が配置されない領域及び後胴回り域において吸収性本体が配置されない領域において、着用者の肌に接する。
【００２５】
外装シート１３は、疎水性の不織布、透湿又は非透湿性のフィルム、若しくは疎水性の不織布と、透湿又は非透湿性フィルムとを貼り合わせた複合シートによって構成できる。
【００２６】
使い捨ておむつの吸収性コアが配置された吸収性コア配置領域ＲＡには、吸収性コアが製品厚み方向Ｔに曲がることができるように形成された曲部が形成されている。曲部は、吸収体において吸収性コアが配置されていない低目付部４１によって構成されている。低目付部４１は、吸収性コア配置領域ＲＡにおける低目付部以外の領域よりも吸収性材料（特に、粉砕パルプ等の繊維材料）の目付が低い部分である。吸収性コアは、低目付部を変形基点として曲がり易く構成されている。図２において、吸収性コア配置領域ＲＡに斜線を付して示す。
【００２７】
低目付部は、ライトテーブル上に使い捨ておむつを展開・伸張状態にて保持し、当該部位を透かしてみることによって確認出来る。低目付け部は、周囲よりも明るい状態（光を透過できる）となる。当該方法によれば、目視によって低目付部が確認可能である。なお、当該方法は、特にパルプの目付けが低い低目付部において、好適に用いることができる。または、使い捨ておむつから面積を測定できる状態かつ出来る限り大きな面積となるように対象部分について切り出し、コアラップシートと吸収性材料以外を除いた上で重量を測定することによって、低目付部を確認することが可能となる。
【００２８】
なお、曲部は、吸収性コアが厚み方向に曲がる変形基点となる構成であればよく、吸収性コアに形成された切欠き、吸収性コアを厚み方向において圧搾した圧搾部、吸収性コアにおいて周囲の吸収性コアと目付が異なる目付境界部、吸収性コアにおいて周囲の吸収性コアと厚みが異なる厚み境界部、吸収性コアにおいて周囲の吸収性コアと密度が異なる密度境界部、及び製品幅方向に伸縮する伸縮部のうち、少なくともいずれかを含んで構成される。
【００２９】
使い捨ておむつは、複数の伸縮性部材を有する。伸縮性部材は、第１伸縮性部材１１と、第２伸縮性部材１２と、を有する。第２伸縮性部材１２は、腰回り開口部２１に沿って配置され、製品幅方向Ｗに伸縮する。第２伸縮性部材１２は、第１伸縮性部材１１よりも製品長手方向Ｌ外側に配置され、製品幅方向Ｗに伸縮する。第２伸縮性部材１２は、第１伸縮性部材よりも製品長手方向L外側に配置され、かつ、吸収性コアよりも製品長手方向L外側に配置されることが好ましい。より好ましくは、第２伸縮性部材１２は、第１伸縮性部材よりも製品長手方向L外側に配置され、かつ、吸収性本体よりも製品長手方向L外側に配置されることが好ましい。
【００３０】
第１伸縮性部材１１は、曲部である低目付部４１に沿って配置され、少なくとも製品幅方向に伸縮する。第１伸縮性部材１１は、外装体１Ｂを構成する外装シート１３に配置されている。具体的には、外装シート１３は、使い捨ておむつの腰回り開口部２１を起点に製品長手方向に折り畳まれており、当該折り畳まれた外装シート間に、第１伸縮性部材１１が配置されている。
【００３１】
なお、第１伸縮性部材１１は、低目付部４１の近傍に配置されていればよく、その配置は限定されない。例えば、第１伸縮性部材１１は、吸収体４と裏面シート３の間に配置されていてもよいし、吸収体４内に配置されていてもよいし、外装体１Ｂに配置されていてもよい。
【００３２】
第１伸縮性部材１１の製品幅方向の長さは、実施の形態に限定されない。第１伸縮性部材１１の製品幅方向の長さは、吸収性コアの製品幅方向の長さよりも長くてもよいし、低目付部の製品幅方向の長さよりも短くてもよいし、吸収性本体の製品幅方向の長さよりも長くてもよいし、前胴回り域の全域であってもよいし、後述する図６（ｃ）に示すように、第１伸縮性部材１１が製品幅方向中央で分断されていてもよい。
【００３３】
好ましくは、第１伸縮性部材１１は少なくとも一部にて、吸収性本体１Ａと平面視において重なり、かつサイド接合部３０に到達するように配置されていることが好ましい。第１伸縮性部材１１が吸収性本体１Ａからサイド接合部３０まで到達することにより、本願発明の狙いとする効果を発現させ、更には着用者の動きが加わった場合にも機能し続けることが可能となる。  
また、第１伸縮性部材１１の平面視の形状は、直線状であってもよいし、曲線状であってもよい。第１伸縮性部材１１の平面視の形状は、製品幅方向中央が股下域側に凸状であってもよいし、製品幅方向と平行な直線状であってもよい。
【００３４】
また、第１伸縮性部材１１が低目付部４１に沿って配置されている状態とは、第１伸縮性部材１１と低目付部４１と平行に配置された状態のみならず、低目付部４１が延びる方向（製品幅方向）に沿って配置された状態も含んでおり、低目付部４１と第１伸縮性部材１１とが平行でない状態も含むものである。
【００３５】
第２伸縮性部材１２は、第１伸縮性部材１１よりも製品長手方向外側において、腰回り開口部２１に沿って配置されている。第２伸縮性部材１２は、外装体１Ｂを構成する外装シート１３に配置されている。具体的には、外装シート１３は、使い捨ておむつの腰回り開口部２１を起点に製品長手方向に折り畳まれており、当該折り畳まれた外装シート間に、第２伸縮性部材１２が配置されている。第１伸縮性部材１１と第２伸縮性部材１２は、製品長手方向に離間して配置されている。
【００３６】
なお、第２伸縮性部材１２は、第１伸縮性部材よりも製品長手方向外側に配置されていればよく、その配置は限定されない。例えば、第２伸縮性部材１２は、外装シート１３の非肌当接面側の面に配置されていてもよいし、吸収性本体に配置されていてもよい。
【００３７】
第２伸縮性部材１２の製品長手方向の長さは、実施の形態のように、吸収性コアの製品幅方向の長さよりも長くてもよいが、実施の形態に限定されない。第２伸縮性部材１２の製品幅方向の長さは、吸収性本体の製品幅方向の長さよりも短くてもよいし、吸収性本体の製品幅方向の長さよりも長くてもよい。
【００３８】
第１伸縮性部材が配置された第１領域Ｒ１の伸率は、第２伸縮性部材が配置された第２領域Ｒ２の伸縮率よりも高い。図２において、第１領域Ｒ１及び第２領域Ｒ２を二点鎖線で囲んで図示する。伸縮率が高い領域は、伸縮率が低い領域よりも縮む状態となり、縮む前の状態と比較してその長さがより短くなる。第１伸縮性部材が配置された第１領域Ｒ１の長さがより短くなることにより、着用者の中腹部と下腹部との境界にある凹部に第１伸縮性部材１１を配置できる。一方、第１領域Ｒ１よりもウエスト側の第２領域の伸縮率が比較的低いため、着用者の腹部を締め付けし過ぎずに、着用者の腹部に使い捨ておむつをフィットできる。
【００３９】
また、伸縮率は、収縮方向における伸縮の程度を意味し、以下のように規定される。
【００４０】
伸縮率＝（最大伸張状態における測定領域の収縮方向における長さ）/（自然状態における測定領域の収縮方向における長さ）
なお、本明細書において、かかる伸縮率は、例えば、次のように測定されるものとする。
【００４１】
第１に、使い捨ておむつがパッケージ等に封入されている場合には、パッケージから使い捨ておむつを取り出し、その状態にて20℃±２℃、相対湿度６０％±５％ＲＨの雰囲気下において６０分間放置し、収縮方向に沿って測定領域（例えば、第１領域Ｒ１）の長さを測定する。この長さを、「自然状態の測定領域（例えば、第１領域Ｒ１）の長さ」とする。
【００４２】
第２に、かかる状態（すなわち、自然状態）における所望領域の収縮方向における長さ、及び、自然状態から弾性部材による皺が目視にて確認できない状態まで延伸した時の測定領域の収縮方向における長さを測定する。この長さを、「伸長状態における測定領域（例えば、第１領域Ｒ１）の長さ」とする。
【００４３】
これら測定結果を用い、上述の式にて算出することで伸縮率が測定される。
【００４４】
第１伸縮性部材１１は、糸ゴムによって構成されており、第２伸縮性部材１２は、伸縮性シートによって構成されている。例えば、かかる糸ゴムとしては、ポリウレタン弾性繊維や天然ゴムからなる糸状・帯状の弾性部材を用いることができ、当該糸状・帯状の弾性部材を１本又は複数本配置してもよい。また、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シートや、不織布をギア延伸加工することによって伸縮性が発現された不織布シート等を用いることができる。
【００４５】
また、かかる伸縮性シートの代わりに、ポリウレタン弾性繊維や天然ゴムからなる糸状・帯状の弾性部材を、１本又は複数本配置することによって第１伸縮性部材１１及び第２伸縮性部材１２を構成してもよい。
【００４６】
次いで、前胴回り域Ｓ１の構成について詳細に説明する。前胴回り域は、外装体１Ｂと、吸収性本体１Ａの一部と、によって構成されている。外装体１Ｂを構成する外装シート１３は、前胴回り域全体に配置されている。
【００４７】
第２伸縮性部材１２は、吸収性本体１Ａよりも製品長手方向外側において、吸収性本体と離間して配置されている。第２伸縮性部材１２が配置された第２領域Ｒ２は、第２伸縮性部材１２によって製品幅方向に伸縮する。また、第１伸縮性部材１１が配置された第１領域Ｒ１は、低目付部４１を含んだ領域であり、第１伸縮性部材１１によって製品幅方向に収縮する。第１領域は、吸収性コアが配置されていない低目付部を含んでおり、吸収性コア配置領域の周囲と比較して剛性が低い。よって、第１領域は、第１伸縮性部材１１による伸縮応力が高く作用し易い。第１領域の伸縮応力が第２伸領域の伸縮応力よりも高くなるように設定されている。
【００４８】
次いで、図４及び図５に基づいて、使い捨ておむつの装着状態について説明する。図４は、使い捨ておむつ１を装着した状態を示す斜視図である。図５は、使い捨ておむつを装着した状態を示す断面図である。図５は、図４に示すＡ−Ａ断面を基準としており、着用者のお腹周りを模式的に示した図である。図示する二点鎖線は、着用者の身体のラインを示している。なお、図５においては、外装体全体を１本の線によって省略して示している。
【００４９】
使い捨ておむつが着用者に装着された状態で、着用者の腰回りに沿って前胴回り域及び後胴回り域が配置される。このとき、腰回り開口部２１に沿って第２伸縮性部材１２が配置されているため、使い捨ておむつの腰回り開口部２１が着用者の腰回りに密着する。
【００５０】
前胴回り域において製品幅方向に延びる曲部が形成されているため、前胴回り域の吸収性コアが製品幅方向に沿って製品厚み方向に曲がる。また、曲部に沿って製品幅方向に延びる第１伸縮性部材１１が配置されているため、曲部が身体に密着する。また、第１領域の伸縮力は、低目付部４１よりも製品長手方向外側に位置する第２領域の伸縮力よりも高い。よって、曲部を基点に変形し、曲部よりも長手方向外側に位置する領域を、身体から離れる方向に立ち上げることができる。
【００５１】
このように、吸収体が曲部を基点にして非肌当接面側に立ち上がるため、着用者の中腹部と下腹部の境界に第１伸縮性部材１１及び曲部を当接させることで、使い捨ておむつの前胴回り域を腹の膨らみに沿って配置できる。
【００５２】
使い捨ておむつを着用者の腹に沿って配置することにより、着用者が動いた際にも身体に沿って使い捨ておむつを配置でき、使い捨ておむつが引き下がる不具合や、使い捨ておむつがずれる不具合を抑制できる。また、乳幼児のお腹を覆った状態を維持する際に、過剰な伸縮抵抗で締め付けることがないため、着用者の内蔵への圧迫を抑制し、不快感を抑制できる。
【００５３】
第１伸縮性部材が配置された第１領域Ｒ１の伸縮率が比較的高いため、第１領域Ｒ１がより収縮し、着用者の中腹部と下腹部との境界にある凹部に第１伸縮性部材１１を配置できる。一方、第１領域Ｒ１よりもウエスト側の第２領域の伸縮率が比較的低いため、着用者の腹部を締め付けし過ぎずに、着用者の腹部に使い捨ておむつをフィットできる。
【００５４】
一般的に、乳幼児は、腹まわりが張り出しており、乳幼児の下腹部よりも上方（ウエスト側）の中腹部は、下腹部よりも膨らんでおり、中腹部と下腹部との境界は、凹んでいる。使い捨ておむつが着用者に装着された状態で、曲部である低目付部４１は、着用者の中腹部と下腹部の境界に対応して配置され、第２領域Ｒ２は、着用者の中腹部に対応して配置されている。第２伸縮性部材によって使い捨ておむつを着用者の中腹部にフィットさせることができ、第１伸縮性部材によって使い捨ておむつを着用者の下腹部と中腹部との境界にフィットさせることができ、腹の膨らみに沿って配置できる。
【００５５】
また、低目付部４１は、製品幅方向外側端部から製品幅方向中央に向かって股下域側に突出した曲線形状である。着用者の腹の膨らみは、脇側よりも幅方向における中央の方が大きい。よって、使い捨ておむつの製品幅方向中央が当接する部位は、使い捨ておむつの製品幅方向外側端部が当接する部位よりも、非肌当接面側に立ち上げる領域が広いことが望ましい。
【００５６】
低目付部４１が製品幅方向外側端部から製品幅方向中央に向かって股下域側に突出しているため、製品幅方向中央における吸収性コアの変形基点が股下側に位置し、製品幅方向中央における非肌当接面側に立ち上げる領域が広くなる。よって、低目付部４１よりも製品長手方向外側の領域を立体的に立ち上げて、腹部を覆うカップ形状を形成できる。
【００５７】
なお、低目付部４１の平面視の形状は、曲線形状であってもよいし、製品幅方向に延びる直線形状であってもよい。
【００５８】
更に、第１伸縮性部材１１及び／又は第２伸縮性部材１２は、製品幅方向外側端部から製品幅方向中央に向かって股下域側に突出した曲線形状である。着用者の腹の膨らみは、脇側よりも幅方向における中央の方が大きい。よって、使い捨ておむつの製品幅方向中央が当接する部位は、使い捨ておむつの製品幅方向外側端部が当接する部位よりも、非肌当接面側に立ち上げる領域が広いことが望ましい。
【００５９】
第１伸縮性部材１１及び／又は第２伸縮性部材１２が製品幅方向外側端部から製品幅方向中央に向かって股下域側に突出しているため、製品幅方向中央における吸収性コアの変形基点が股下側に位置し、製品幅方向中央における非肌当接面側に立ち上げる領域が広くなる。よって、第１伸縮性部材１１及び／又は第２伸縮性部材１２よりも製品長手方向外側の領域を立体的に立ち上げて、腹部を覆うカップ形状を形成できる。
【００６０】
また、使い捨ておむつの伸長状態において、使い捨ておむつの製品幅方向中央を通り、かつ製品長手方向に延びる仮想線における使い捨ておむつの前側端部と曲部との距離Ｌ１は、４０ｍｍ以上８０ｍｍ以下であることが望ましい。
【００６１】
装着補助者（母親）は、着用者のおへそを覆う又は隠す位置を目安として、使い捨ておむつの前側端部をひき上げる傾向にある。そのため、本寸法範囲に配置することで、装着により曲部が着用者の中腹部と下腹部との間に配置されることが行われ易いことを見出した。例えば、使い捨ておむつの前側端部と曲部との距離Ｌ１が４０ｍｍ未満であると、中腹部と下腹部との境界よりも製品長手方向外側に配置される使い捨ておむつの面積が狭く、着用者の中腹部を適切に覆うことができないことがある。一方、使い捨ておむつの前側端部と曲部との距離Ｌ１が８０ｍｍより長いと、使い捨ておむつの前側端部の位置が高くなり、着用者が身体を屈めた場合に、使い捨ておむつの前側端部から曲部までの領域が中腹部に当たり、動きの妨げになることがある。
【００６２】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６３】
図６は、変形例に係る曲部を示した図である。図６(ａ)に示す曲部４２は、吸収性コアの製品幅方向の長さが製品長手方向において変化する部分である。曲部４２よりも製品長手方向外側の長さは、曲部よりも製品長手方向内側の長さよりも長い。吸収性コアの製品幅方向の長さが異なる部分は、吸収性コアの剛性が異なっており、当該部分を基点に変形し易く構成されている。
【００６４】
図６（ｂ）に示す曲部４３は、吸収性コアに形成された切欠きである。吸収性コアの切欠きが形成された部分は、吸収性コアの切欠きの周囲の部分よりも剛性が低く、当該部分を基点に変形し易く構成されている。
【００６５】
図６（ｃ）に示す曲部４４は、吸収性コアを厚み方向において圧搾した圧搾部である。圧搾部が形成された部分は、吸収性コアの圧搾部の周囲の部分よりも剛性が高く、当該部分を基点に変形し易く構成されている。
【００６６】
なお、曲部は、この構成に限られず、吸収性コアにおいて周囲の吸収性コアと目付が異なる目付境界部、吸収性コアにおいて周囲の吸収性コアと厚みが異なる厚み境界部、吸収性コアにおいて周囲の吸収性コアと密度が異なる密度境界部、製品幅方向に伸縮する伸縮部、及び使い捨ておむつに折り加工を施した部分のいずれかによって構成されていればよい。なお、折り加工とは、使い捨ておむつの製造工程において、使い捨ておむつ自体を曲部にて折り曲げる加工である。当該折り加工を施すことにより、パッケージに封入された状態や取り出した状態において吸収性コアに折り目を形成することができる。当該折り目が曲部として機能する。
【００６７】
例えば、使い捨ておむつは、予めパンツ型に成形されてなく、いわゆるテープ型の使い捨ておむつであってもよい。テープ型の使い捨ておむつは、後胴回り域にファスニングテープが設けられ、前胴回り域にファスニングテープが止着されるターゲット部が設けられている。このファスニングテープとターゲット部との係合によって、着用者の胴回りに沿って使い捨ておむつが保持される。
【００６８】
ファスニングテープの係合部材が設けられた領域から製品幅方向に延びる部分は、ファスニングテープとターゲット部との係合によって着用者の胴回りに保持される胴回り保持部となる。この胴回り保持部は、曲部よりも腰回り開口部側に設けられていればよく、より好ましくは、曲部に隣接して設けられる。このような構成によれば、曲部近傍を着用者の胴回りにフィットさせ、当該曲部よりも製品長手方向外側の領域を着用者の腹の膨らみに沿わせて配置できる。
【００６９】
また、第１伸縮性部材１１は、製品厚み方向において曲部と重なっていてもよいが、曲部よりも製品長手方向外側又は製品長手方向内側にずれて配置されていてもよい。また、好ましい変形例としては、第１伸縮性部材は、曲部よりも製品長手方向外側において曲部に隣接して配置されていることが望ましい。第１伸縮性部材を曲部よりも製品長手方向外側、かつ曲部に隣接して配置することにより、第１伸縮性部材によって、曲部よりも製品長手方向外側の領域を持ち上げることができる。
【００７０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７１】
１        ：使い捨ておむつ
１Ａ      ：吸収性本体
１Ｂ      ：外装体
２        ：表面シート
３        ：裏面シート
４        ：吸収体
４ａ      ：吸収性コア
４ｂ      ：コアラップ
５        ：本体外装シート
１１      ：第１伸縮性部材
１２      ：第２伸縮性部材
１３      ：外装シート
２１      ：腰回り開口部
２２      ：脚回り開口部
３０      ：サイド接合部
４１      ：低目付部（曲部）
４２      ：曲部
４３      ：曲部
４４      ：曲部
Ｒ１      ：第１領域
Ｒ２      ：第２領域
ＲＡ      ：吸収性コア配置領域
Ｓ１      ：前胴回り域
Ｓ２      ：後胴回り域
Ｓ３      ：股下域
Ｌ        ：製品長手方向
Ｔ        ：製品厚み方向
Ｗ        ：製品幅方向
【図１】
2015073637.tif 000003
【図２】
2015073637.tif 000004
【図３】
2015073637.tif 000005
【図４】
2015073637.tif 000006
【図５】
2015073637.tif 000007
【図６】
2015073637.tif 000008